(57)【特許請求の範囲】
【請求項１】
建物の妻壁等に装着されて使用される換気装置に於いて、上下端部が閉鎖されかつ側壁下部に通気口が設けられ更に内壁上部に通気口が設けられた縦筒体の内部のほぼ中央部に、風圧により該縦筒体内を上下に閉鎖分離し得る断面円弧状の開閉フラップを、前記縦筒体の側壁に交差する方向に支軸を配置して回動自在に取付け、前記縦筒体の側壁外面に沿って所定の間隔を保って翼板を設けて構成したことを特徴とした縦筒型換気装置。
【請求項２】
建物の妻壁に嵌着された外枠内に前記縦筒体を着脱自在に取付けて構成したことを特徴とした請求項１の縦筒型換気装置。
【請求項３】
防火用ダンパーを前記縦筒体の室内側に沿って設けて構成したことを特徴とした請求項１或いは請求項２のいずれかの縦筒型換気装置。
【発明の詳細な説明】
【０００１】
【発明の属する技術分野】
本発明は建物の壁面の換気装置に係り、特に雨水の浸入が困難な換気通路を設けることによって軒、庇が無い妻壁等に取付けて使用し得る縦筒型の換気装置に関するものである。
【０００２】
【従来の技術】
台風等の強風時に雨水が室内側に浸入することを防止し得る換気装置としては、例えば特公平３ー２９５１６号公報（第１公知技術）、或いは特開昭６３ー２５１５４８号公報（第２公知技術）、特開平５ー２９５９５９号公報（第３公知技術）、特公昭４９ー３５７８１号公報（第４公知技術）及び実開昭６３ー１６７５８９号公報（第５公知技術）等に示す技術が知られている。
【０００３】
前記第１公知技術は、固定ルーバーの一部に断面碗型溝条を設け、かつ可動フラップの一部に支持アームを介して丸棒を設け、これ等の丸棒を前記碗型溝条に回動自在に嵌入することによって、可動フラップが強風時に自動的に回動し得るようにした構造の技術である。また第２公知技術は、表面側に換気ガラリと網体とが設けられた外壁の内部の一部をくり抜いて換気フードを形成し、この換気フードに設けた開口部をダンパーで開閉するようにした技術である。
【０００４】
第３公知技術は、外壁の一部に通気路を形成し、この通気路をじゃま板で遮断するようにした技術である。第４公知技術は、通気窓の側枠に複数のスラット片を設けると共に相互間に通気路を設け、これ等の通気路を夫々可動式シャッター片で閉鎖し得るように構成した通気窓の技術である。更に第５公知技術は、窓の側枠に複数の固定式傾斜板を設けてその間に通気路を設け、かつ各傾斜板の間に可動式フラップを設け、このフラップによって通気路を閉鎖し得るようにした構造である。
【０００５】
【発明が解決しようとする課題】
然るに、前述の第１公知技術、第４公知技術及び第５公知技術に於いては、夫々１枚の固定ルーバーに対して１枚の可動フラップが組まれているために、１個の換気ガラリに形成される通気路の数が多くなり、全体の構成が複雑であり、構成部品数も多くなる等の問題があった。また、組立作業が複雑で効率悪く、しかも多数の通気部を個々に可動フラップで閉鎖しなければならないので、水密性が悪くなる問題もあった。その上に永年使用していると可動フラップの回動に問題が出来て来たりして、故障が生ずる可能性もあった。
【０００６】
更に、前述の第２公知技術及び第３公知技術は、夫々外壁内に通気用の開口を設け、この開口内に換気フードを形成し、かつ換気フード内に可動フラップ（タンパー）を取付けなければならず、作業が大がかりであり、構成が複雑で、コスト高になる問題があった。特に第２公知技術の場合には、換気ガラリとは全く別に換気ガラリが表面に取付けられた外壁自体に、前記換気フードを構成しなければならない問題があった。
【０００７】
前述の第１公知技術乃至第５公知技術の換気装置の構造は全体的に極めて構造が複雑であると共に、台風時等に雨水が浸入し易いので、軒、庇等が設けられた場所のみしか使用することが困難であり、これ等の軒、庇等が無い場所では装着して使用することが困難である問題があった。
【０００８】
本発明に係る換気装置は従来の問題点に鑑み開発された全く新しい技術であって、特に縦筒体を用いてその内部に風道を形成し、その側壁下部と内壁上部に夫々通気口を穿設し、かつ縦筒体の内部の上下の中間位置に開閉フラップを回動自在に取付けて縦筒体内の風道を開閉し得るように構成した縦筒型換気装置の技術を提供するものである。
【０００９】
【課題を解決するための手段】
本発明に係る換気装置は、前述の従来の問題点を根本的に改善した技術であって、その第１発明の要旨は、建物の妻壁等に装着されて使用される換気装置に於いて、上下端部が閉鎖されかつ側壁下部に通気口が設けられ更に内壁上部に通気口が設けられた縦筒体の内部のほぼ中央部に、風圧により該縦筒体内を上下に閉鎖分離し得る開閉フラップを、前記縦筒体の側壁に交差する方向に支軸を配置して回動自在に取付け、前記縦筒体の側壁外面に沿って所定の間隔を保って翼板を設けて構成したことを特徴とした縦筒型換気装置である。
【００１０】
また、本発明の第２発明の要旨は、建物の妻壁に嵌着された外枠内に前記縦筒体を着脱自在に取付けて構成したことを特徴とした第１発明の縦筒型換気装置である。
【００１１】
更に、本発明に係る装置の第３発明の要旨は、防火用ダンパーを前記縦筒体の室内側に沿って設けて構成したことを特徴とした第１発明或いは第２発明のいずれかの縦筒型換気装置である。
【００１２】
【発明の実施の形態】
図により本発明に係る換気装置の一実施例を具体的に説明すると、図１は本発明に係る換気装置の縦断面説明図、図２は図１の換気装置の要部の構成を示す斜視説明図、図３は図１の換気装置の横断面図、図４（Ａ），（Ｂ）は図１の換気装置の作動説明図である。
【００１３】
図１乃至図４（Ａ），（Ｂ）に於いて、１は縦筒体であって、外壁２、左右側壁３，４、内壁５、上板６及び下板７によって４角筒状に形成されている。前記外壁２及び左右の側壁３，４は特に図３に示す如く、一体的に形成されており、これ等は内壁５に着脱自在に嵌着されている。
【００１４】
８，９は夫々翼板であって、外壁２の両端に連結片１０を介して一体的に連設されると共に、前記側壁３，４の外方に所定の間隔を保って平行に設けられている。この翼板８，９の水平巾は側壁３，４よりも短い寸法を有しており、その先端側縁と前記内壁５との間には所定の隙間が形成されるように構成されている。
【００１５】
前記左右の側壁３，４の下部には夫々通気口１１が穿設されると共に、内壁５の上部にも通気口１２が穿設されている。従って、翼板８，９の先端側縁と内壁５との間隙、及び翼板８，９と側壁３，４との間隙を通過した外気は、側壁３，４の下部に設けられた通気口１１より縦筒体１内に流入し、かつ縦筒体１内を下方から上方に流通した後、今度は内壁５の上部に設けられた通気口１２より室内側に流出されるように構成されている。
【００１６】
１３は開閉フラップであって、前記縦筒体１の内径とほぼ等しい外径を有しており、かつ外壁２の上下のほぼ中央部に上下方向に回動し得る如く支軸１４を介して枢着されている。従って、通常の状態では図４（Ａ）に示す如く、開閉フラップ１３自体の重力によって下方向にたれ下がっており、台風時等に風圧が強くなると、図４（Ｂ）に示す如く、縦筒体１の下部の通気口１１より浸入した風雨が開閉フラップ１３を押上げて、縦筒体１内の風道を閉鎖し、風雨が内壁５の通気口１２を通って室内側に浸入することを防止出来るように構成されている。この開閉フラップ１３の開閉する圧力は、自重並びにバネ装置等によって簡単に調節することが出来るように構成されている。
【００１７】
１５は外枠であって、建物の妻壁１６の一部に設けた開口部に嵌着されている。前記縦筒体１の内壁５は外枠１５の室内側壁面１７の一部を形成しており、かつ周りの室内側壁面１７より切り離すことが出来るように構成されている。図中１８は外枠の下部に取付けられた水切りである。
【００１８】
前述の縦筒体１は、外枠１５の室内側壁面１７のほぼ中央に設けられた内壁５を介して構成されており、外枠１５の外縁と縦筒体１とは所定の間隔を保って配置されている。従って、前述のように翼板８，９の先端側縁と内壁５との間隙を通って翼板８，９と側壁３，４との間隙に流入する外気は、外枠１５の外縁と縦筒体１との間を通過した外気である。
【００１９】
１９は防火用ダンパーであって、外枠１５の室内側壁面１７に沿って設けられている。この防火用ダンパー１９は上下縁が所定方向に折曲げられた複数の羽根板２０とヒューズ部材２１とより構成されており、加熱空気が縦筒体１の通気口１２より室内側に浸入した場合には、ヒューズ部材２１が溶断され、各羽根板２０が順に落下して、防火用ダンパー１９を自動的に組立構成することが出来るように構成されている。
【００２０】
【発明の効果】
本発明に係る換気装置は、上述の如き構造と作用とを有するので、次のような多大な効果を有している。
【００２１】
（１）縦筒体の側壁下部と内壁上部とに夫々通気口を設け、側壁の下部より浸入した外気を縦筒体の風道を通って内壁の上部より室内側に取り入れるようにしたので、建物に軒や庇がない壁面に取付けた場合にも雨水が室内側に浸入することを制限することが出来る。（２）縦筒体内に開閉フラップを回動自在に枢着させたので、台風時等に縦筒体内に高圧な風雨が浸入した場合には、縦筒体の風道を該開閉フラップで閉鎖して、風雨が風道内を通過することを防止出来る。
【００２２】
（３）縦筒体の側壁外面に沿って翼板を設けた場合には、縦筒体内に浸入する風雨の通路をより複雑に構成して、雨水の浸入を困難にすることが出来る。（４）縦筒体或いはこの縦筒体が取付けられた外枠の室内側に防火ダンパーを設けた場合には、この防火ダンパーによって、室内側に火災が浸入することを自動的に防止出来る。
【００２３】
（５）縦筒体及び縦筒体の内壁を周りの外枠より取り出し出来るように構成した場合には、外枠全体を取り外すことなく、裏側の防火ダンパーのヒューズ部材等のメンテナンスを容易に行うことが出来る。（６）開閉フラップの開閉圧力は、自重並びにバネ装置等により簡単に調節することが出来る。
【図面の簡単な説明】
【図１】  本発明に係る換気装置の縦断面説明図である。
【図２】  図１の換気装置の要部の構成を示す斜視説明図である。
【図３】  図１の換気装置の横断面図である。
【図４】  図４（Ａ），（Ｂ）は図１の換気装置の作動説明図である。
【符号の説明】
１…縦筒体
２…外壁
３，４…側壁
５…内壁
６…上板
７…下板
８，９…翼板
10…連結片
11，12…通気口
13…開閉フラップ
14…支軸
15…外枠
16…妻壁
17…室内側壁面
18…水切り
19…防火ダンパー
20…羽根板
21…ヒューズ部材
【図１】
0003842337.tif 000002
【図２】
0003842337.tif 000003
【図３】
0003842337.tif 000004
【図４】
0003842337.tif 000005